(57)【要約】【課題】  プリント配線基板上における省スペース化およびプリント配線基板の抜出を確実に防止することができるフレキシブル基板用コネクタを提供することである。【解決手段】  フレキシブル基板用コネクタ１００の開閉カバー１４０は、フレキシブル基板２００の被係止部２６０と係止される係止部１４５を有する。開閉カバー１４０の係止部１４５は、開閉カバー１４０が閉状態の時に、フレキシブル基板２００の被係止部２６０と係止することにより、フレキシブル基板２００の抜出を防止する。【選択図】  図１
2006134728.tif 000002
【特許請求の範囲】
【請求項１】
複数の信号線を有するフレキシブル基板が挿抜可能で、且つ、プリント配線基板に接続されるフレキシブル基板用コネクタであって、
複数のコンタクトと、
前記複数のコンタクトが組み付けられるとともに、前記複数のコンタクトの圧接部が露出するように設けられた開口部を有するハウジングと、
前記ハウジングに軸支されるとともに、前記開口部を外覆可能な開閉カバーとを備え、
前記フレキシブル基板は、被係止部を有し、
前記開閉カバーは、回動することにより前記フレキシブル基板の被係止部に挿入する係止部を有するとともに、閉状態において前記フレキシブル基板を押圧して複数の信号線とコンタクトの圧接部とを電気的に接続することを特徴とするフレキシブル基板用コネクタ。
【請求項２】
前記開閉カバーの回転軸は、ハウジングに圧入固定される補強タブにより前記ハウジングへ回動自在に軸支されていることを特徴とする請求項１記載のフレキシブル基板用コネクタ。
【請求項３】
前記補強タブは、前記プリント配線基板へ半田付けされるリード部をさらに有することを特徴とする請求項２記載のフレキシブル基板用コネクタ。
【請求項４】
前記複数のコンタクトは、それぞれカム係止部を含み、
前記開閉カバーは、前記カム係止部によりカム係止されることを特徴とする請求項１〜３のいずれかに記載のフレキシブル基板用コネクタ。
【請求項５】
前記ハウジングは、両側壁から突出するひさし状突出部を有し、
前記開閉カバーは、先端にロック用の突起部を有し、
前記開閉カバーが閉状態において前記突起部が、前記ひさし状突出部に係止されることを特徴とする請求項１〜４のいずれかに記載のフレキシブル基板用コネクタ。
【請求項６】
前記補強タブは、前記ひさし状突出部の外壁面から内壁面の少なくとも一部に沿って延在していることを特徴とする請求項５記載のフレキシブル基板用コネクタ。
【請求項７】
前記補強タブは、前記ひさし状突出部の内壁面に延在する延長片を有し、
前記延長片は、前記開閉カバーの閉状態において前記フレキシブル基板と当接するように設けられたことを特徴とする請求項６記載のフレキシブル基板用コネクタ。
【発明の詳細な説明】
【技術分野】
【０００１】
本発明は、複数の信号線を有するフレキシブル基板とプリント配線基板との電気的接続を行うフレキシブル基板用コネクタに関する。
【背景技術】
【０００２】
従来、柔軟性を持つフレキシブル基板（ＦＰＣ；Flexible Printed Circuits）は、携帯電話またはデジタルカメラ等の小型化製品の分野に用いられている。また、近年、液晶テレビ等の大型製品においても薄型化、小型化のニーズが高まり、自由な取り回しが可能なフレキシブル基板が多用されるようになってきた。
【０００３】
このフレキシブル基板とプリント配線基板との電気接続を行う際には、フレキシブル基板用コネクタが用いられる。このフレキシブル基板用コネクタには、プリント配線基板に対して垂直方向に沿ってフレキシブル基板を接続する垂直型と、プリント配線基板に対して水平方向に沿ってフレキシブル基板を接続する水平型とがある。
【０００４】
このフレキシブル基板用コネクタにおいては、フレキシブル基板の取り回しにより、フレキシブル基板用コネクタからフレキシブル基板が抜出するという問題があった。このフレキシブル基板用コネクタからフレキシブル基板が抜出する問題については、種々の案が出されている。
【０００５】
例えば、特許文献１には、ロック機構を有するコネクタについて開示されている。この特許文献１記載のロック機構を有するコネクタにおいては、フレキシブル基板の両突出部を押圧部材に設けられた抜け止め部により押圧し、押圧部材がハウジングのロック部によりロックされる構造である。それにより、フレキシブル基板用コネクタからフレキシブル基板が抜出することを防止することができる。
【０００６】
また、特許文献２には、フレキシブル配線材とコネクタの結合構造について開示されている。この特許文献２記載のフレキシブル配線材とコネクタの結合構造においては、フレキシブル基板の補強板の切欠きをスライダの突部により係合させ、スライダおよびフレキシブル基板をハウジングに挿入する構造である。それにより、フレキシブル基板用コネクタからフレキシブル基板が自然に抜出することを防止できる。
【特許文献１】特開２００３−２０８９４６号公報
【特許文献２】特開２００２−２８９３０１号公報
【発明の開示】
【発明が解決しようとする課題】
【０００７】
しかしながら、特許文献１記載のロック機構を有するコネクタでは、プリント配線基板上の面積を大きく必要とするため、プリント配線基板のパターン設計が困難となる。また、特許文献２記載のフレキシブル配線材とコネクタとの結合構造では、フレキシブル配線材を保持するスライダの抜出方向と、フレキシブル配線材の抜出方向が同一方向であるため、フレキシブル配線が抜出しやすい。
【０００８】
本発明の目的は、プリント配線基板上における省スペース化およびプリント配線基板の抜出を確実に防止することができるフレキシブル基板用コネクタを提供することである。
【課題を解決するための手段及び効果】
【０００９】
（１）
第１の発明に係るフレキシブル基板用コネクタは、複数の信号線を有するフレキシブル基板が挿抜可能で、且つ、プリント配線基板に接続されるフレキシブル基板用コネクタであって、複数のコンタクトと、複数のコンタクトが組み付けられるとともに、複数のコンタクトの圧接部が露出するように設けられた開口部を有するハウジングと、ハウジングに軸支されるとともに、開口部を外覆可能な開閉カバーとを備え、フレキシブル基板は、被係止部を有し、開閉カバーは、回動することによりフレキシブル基板の被係止部に挿入する係止部有するとともに、閉状態においてフレキシブル基板を押圧して複数の信号線とコンタクトの圧接部とを電気的に接続するものである。
【００１０】
第１の発明に係るフレキシブル基板用コネクタにおいては、ハウジングに複数のコンタクトが組み付けられ、ハウジングの開口部に開閉カバーが回動可能に設けられる。
【００１１】
開閉カバーが開状態の時にフレキシブル基板が複数のコンタクトの圧接部に挿入され、開閉カバーが閉状態の時にフレキシブル基板が開閉カバーに押圧され、フレキシブル基板の信号線が複数のコンタクトの圧接部と電気的に接続される。
【００１２】
この場合、フレキシブル基板の被係止部に対して、フレキシブル基板の抜出方向と異なる方向から開閉カバーの係止部が挿入されるので、フレキシブル基板の抜出を確実に防止することができる。
【００１３】
また、ハウジングに係止部を設ける場合と比較して、フレキシブル基板の挿入が容易になるとともに、ハウジングの省スペース化も実現することができる。その結果、プリント配線基板上の配線を容易にすることができる。
【００１４】
さらに、新たな部材を用いる必要がないため、フレキシブル基板用コネクタの低背化または薄型化を実現することができる。
【００１５】
（２）
開閉式カバーの回転軸は、ハウジングに圧入固定される補強タブによりハウジングへ回動自在に軸支されてもよい。
【００１６】
この場合、ハウジングおよび補強タブにより開閉カバーの回転軸が軸支されるので、開閉式カバーの軸支を補強することができる。その結果、開閉カバーを安定して開閉させることができる。
【００１７】
（３）
補強タブは、プリント配線基板へ半田付けされるリード部をさらに有してもよい。
【００１８】
この場合、補強タブにより開閉カバーの左右端の回転軸が軸支されるとともに、補強タブがプリント配線基板に固定されるので、開閉式カバーの軸支をさらに補強することができる。その結果、開閉カバーを安定して開閉させることができる。
【００１９】
（４）
複数のコンタクトは、それぞれカム係止部を含み、開閉カバーは、カム係止部によりカム係止されてもよい。
【００２０】
この場合、開閉カバーは、複数のコンタクトのカム係止部によりカム係止されるので、開閉カバーの開状態および閉状態において、開閉カバーの抜出を防止することができる。
【００２１】
（５）
ハウジングは、両側壁から突出するひさし状突出部を有し、開閉カバーは、先端にロック用の突起部を有し、開閉カバーが閉状態において突起部が、ひさし状突出部に係止されてもよい。
【００２２】
この場合、突起部がひさし状突出部に係止されるので、フレキシブル基板に抜出方向への力が加わった場合でも、開閉カバーの状態は閉状態で維持され、フレキシブル基板の抜け止め防止を図ることができる。
【００２３】
（６）
補強タブは、ひさし状突出部の外壁面から内壁面の少なくとも一部に沿って延在してもよい。
【００２４】
この場合、補強タブがひさし状突出部の一部に沿って設けられるので、ひさし状突出部の強度を向上させることができる。例えば、ひさし状突出部が外側に広がることを防止することができる。したがって、フレキシブル基板の抜け止め防止をさらに確実にすることができる。
【００２５】
（７）
補強タブは、ひさし状突出部の内壁面に延在する延長片を有し、延長片は、開閉カバーの閉状態においてフレキシブル基板と当接するように設けられてもよい。
【００２６】
この場合、開閉カバーが閉状態であっても、延長片がフレキシブル基板に当接しているため、フレキシブル基板に抜出する方向への力が加わった場合でも、延長片によりフレキシブル基板が保持されるので、開閉カバーへ直接力が加わらない。その結果、フレキシブル基板を確実に固定することができる。
【発明を実施するための最良の形態】
【００２７】
以下、本発明に係る実施の形態について説明する。本発明に係る実施の形態においては、垂直型のフレキシブル基板用コネクタを用いて説明するが、これに限定されず、水平型のフレキシブル基板用コネクタまたは他の任意のフレキシブル基板用コネクタにも用いることができる。
【００２８】
（一実施の形態）
図１は、本発明に係る一実施の形態に係るフレキシブル基板（ＦＰＣ；Flexible Printed Circuits）用コネクタ１００、フレキシブル基板２００およびプリント配線基板３００の組み立て状態の一例を示す模式的斜視図である。なお、以下においては、フレキシブル基板用コネクタ１００をコネクタ１００と略記し、フレキシブル基板２００をＦＰＣ２００と略記する。
【００２９】
プリント配線基板３００は、例えば絶縁体（例えば、ガラスエポキシ等）に銅箔を張り合わせ、その張り合わせた積層板に回路を転写してエッチングし、電気回路を形成したものからなる。
【００３０】
プリント配線基板３００には、複数の第１ランド３０１および複数の第２ランド３０２がそれぞれ直線状に並列配置されている。また、プリント配線基板３００には、さらに２個の固定ランド３０３が配置されている。
【００３１】
複数の第１ランド３０１は、後述するコネクタ１００の複数の第１リード１２１に対向し、複数の第２ランド３０２は複数の第２リード１２２に対向して設けられる。また、２個の固定ランド３０３は、後述するコネクタ１００の補強タブ１７０に対向して設けられる。
【００３２】
プリント配線基板３００の複数の第１ランド３０１、第２ランド３０２および固定ランド３０３上にコネクタ１００の複数の第１リード１２１、複数の第２リード１２２および補強タブ１７０が載置され、ハンダ付け（リフロー処理工程）が施される。それにより、コネクタ１００がプリント配線基板３００上に強固に固定される。
【００３３】
続いて、後述する開閉カバー１４０が開状態にされたコネクタ１００の開口部１５１にＦＰＣ２００が嵌挿される。このＦＰＣ２００の詳細形状については後述する。
【００３４】
ＦＰＣ２００が嵌挿されたコネクタ１００の開閉カバー１４０が閉状態にされることにより、ＦＰＣ２００の被係止部２６０が開閉カバー１４０の係止部１４５により挿入方向に押圧され、コネクタ１００から抜出しないように固定されるとともに、電気的接続が行われる。
【００３５】
その結果、ＦＰＣ２００とプリント配線基板３００との電気的接続をコネクタ１００を介して実現させることができる。
【００３６】
次に、図２は、本実施の形態において用いるＦＰＣ２００の詳細形状を説明するための模式図である。（ａ）は本実施の形態において用いるＦＰＣ２００の表面の一端側を示し、（ｂ）は本実施の形態において用いるＦＰＣ２００の裏面の一端側を示す。
【００３７】
図２（ａ）、（ｂ）に示すように、本実施の形態において用いるＦＰＣ２００は、複数の信号線を含むフレキ基材２１０、シールド部材２２０、保護板２３０およびアース接続片２４０から構成される。
【００３８】
図２（ａ）に示すように、ＦＰＣ２００の長手方向の端部には、保護板２３０が設けられる。この保護板２３０は、ＦＰＣ２００の剛性を高めるためまたはＦＰＣ２００を保護するために設けられる。
【００３９】
また、図２（ｂ）に示すように、フレキ基材２１０は、複数の信号線を長尺平板状に一方向に並べて一体形成されている。フレキ基材２１０は、例えばベース上に銅箔をエッチングすることにより形成された複数の信号線を、絶縁特性または耐熱性に優れたカバーレイ（例えばポリイミドフィルム等）で挟み込んだ構造からなる。そのため、フレキ基材２１０は、高屈曲性能を有する。
【００４０】
ここで、図２（ｂ）に示すように、ＦＰＣ２００の長手方向の端部は、後述する複数のコンタクト１１０と接続可能に形成される。具体的には、複数の信号線がカバーレイから剥きだし状態で形成されている。以下、この部分を接続面２５０と称する。
【００４１】
また、フレキ基材２１０は、長手方向の端部以外において、外筒状のシールド部材２２０により外包されている。さらに、接続面２５０に並設されたアース接続片２４０が、シールド部材２２０と電気的接続できるように設けられている。
【００４２】
次いで、図２（ａ）、（ｂ）に示すように、ＦＰＣ２００の複数の信号線以外の部分に被係止部２６０が形成されている。図２（ａ）（ｂ）においては、被係止部２６０は、矩形状の切欠きにより形成されている。なお、図２においては、被係止部２６０は、矩形状の切欠きにより形成されていることとしたが、これに限定されず、後述する他の被係止部の形状または任意の被係止部の形状により形成されてもよい。
【００４３】
次に、図３は、コネクタ１００の構成の一例を示す説明図である。図３のコネクタ１００は、複数のコンタクト１１０、開閉カバー１４０、ハウジング１５０および補強タブ１７０を含む。
【００４４】
以下、図３のコネクタ１００の複数のコンタクト１１０、開閉カバー１４０、ハウジング１５０および補強タブ１７０の詳細形状についてそれぞれ説明し、後にコネクタ１００の組み立て手順について説明する。
【００４５】
まず、図４はコンタクト１１０の詳細形状の一例を説明するための図である。（ａ）はコンタクト１１０の正面図を示し、（ｂ）はコンタクト１１０の側面図を示す。本実施の形態において用いる複数のコンタクト１１０は、すべて同一形状を有する。
【００４６】
図４（ａ）、（ｂ）に示すコンタクト１１０は、一枚の黄銅、リン青銅またはベリリウム銅等の金属板部材からなる。このコンタクト１１０は、さらに金メッキまたは錫メッキ等の表面処理が施されている。
【００４７】
コンタクト１１０の上部は略Ｕ字状に形成され、コンタクト１１０の下部は略ハ字状に形成される。この略Ｕ字状の先端の一端側には圧接部１１１が形成され、他端側にはフック１１２および圧入部１１３が形成される。
【００４８】
この圧接部１１１には、略Ｕ字状の両端間隔が変化する方向に付勢できるバネ構造１１４を有する。このバネ構造１１４により、ＦＰＣ２００の嵌挿時に圧接部１１１が押圧された場合でも、コンタクト１１０の破損を防止するとともに、ＦＰＣ２００との電気的接続を確実にすることができる。
【００４９】
また、略Ｕ字状の他端に形成されたフック１１２は、後述する開閉カバー１４０のカム１４２をカム係止可能に設けられる。さらに、フック１１２の下方には、コンタクト１１０がハウジング１５０に圧挿された後の抜出を防止するための圧入部１１３が形成されている。すなわち、この圧入部１１３は、くさび形状からなるため、ハウジング１５０に圧挿された場合に、ハウジング１５０に喰い込み、コンタクト１１０をハウジング１５０に完全に固定することができる。
【００５０】
一方、略ハ字状の一端には第１リード１２１が形成され、他端には第２リード１２２が形成される。このコンタクト１１０に形成された第１リード１２１および第２リード１２２は、互いに逆方向に延在している。
【００５１】
次いで、図５は、開閉カバー１４０の詳細形状の一例を説明するための図である。（ａ）は開閉カバー１４０の正面図を示し、（ｂ）は開閉カバー１４０の上面図を示し、（ｃ）は開閉カバー１４０の側面図を示す。
【００５２】
図５の開閉カバー１４０は、樹脂により一体成型されたものからなる。例えば、ＰＰＳ（ポリフェニレンサルファイド）等の樹脂により形成される。
【００５３】
図５（ｃ）に示すように、開閉カバー１４０は、断面略Ｌ字状を有する蓋形状からなる。開閉カバー１４０の断面Ｌ字状の一端には、開閉カバー１４０の左右両端部を貫通した開閉軸１４１が設けられている。また、断面Ｌ字状の他端側には、開閉カバー１４０の開閉動作を可能とする開閉操作部１４３が設けられている。
【００５４】
なお、この開閉操作部１４３は、開閉カバー１４０の閉状態時に、後述するハウジング１５０に設けられた、一対のひさし状突出部１６４と嵌合する。そのため、開閉カバー１４０の両端部においては、開閉操作部１４３が形成されていない。
【００５５】
また、図５（ｃ）に示すように、開閉カバー１４０には、開防止リブ１４４が形成されている。この開防止リブ１４４は、ハウジング１５０の一対のひさし状突出部１６４に設けられたリブ１６５と嵌合することにより、開閉カバー１４０が容易に開状態にならないようにする。
【００５６】
また、図５（ｂ）に示すように、開閉カバー１４０には、一直線上に配されたカム１４２が形成されており、上述した複数のコンタクト１１０のフック１１２によりカム係止される。
【００５７】
さらに、図５（ａ）、（ｃ）に示すように、開閉カバー１４０の両端部近傍には、係止部１４５が設けられる。この係止部１４５の働きについては、後述する。
【００５８】
次いで、図６は、補強タブ１７０の詳細形状の一例を説明するための図である。（ａ）は補強タブ１７０の正面図を示し、（ｂ）は補強タブ１７０の側面図を示し、（ｃ）は補強タブ１７０の上面図を示す。なお、補強タブ１７０は、一枚の黄銅、リン青銅またはベリリウム銅等の金属板部材からなる。この補強タブ１７０は、さらに金メッキまたは錫メッキ等の表面処理が施されている。
【００５９】
図６（ａ）に示すように、補強タブ１７０は、固定部１７１、接続部１７２および補強部１７３からなる。
【００６０】
固定部１７１は、軸支部１７１ａおよび固定タブ部１７１ｂを含む。軸支部１７１ａは、後述するハウジング１５０の片面の軸支部１６３ｂと当接することにより、開閉カバー１４０の開閉軸１４１を軸支し、固定タブ部１７１ｂはプリント配線基板３００の固定ランド３０３と接続可能に形成される。なお、本実施の形態においては、固定タブ部１７１ｂが平面部材からなることとしたが、これに限定されず、先端部を屈曲させてプリント配線基板３００との接触面を広くする構成としてもよい。
【００６１】
補強タブ１７０の接続部１７２は、板状片が屈曲された弾性片からなる。この接続部１７２は、ＦＰＣ２００のアース接続片２４０と電気的接続が可能な形状である。本実施の形態における接続部１７２は、ＦＰＣ２００のアース接続片２４０に対して付勢力を加えることにより電気的接続を確実に行う。
【００６２】
また、補強タブ１７０の補強部１７３は、平面部１７５および折り曲げ部１７４を含む。平面部１７４は、ハウジング１５０に組み付けられた場合にハウジング１５０の側壁の一部を覆うように設けられる。折り曲げ部１７３は、平面部１７４の端部から垂直方向に折り曲げられて接続部１７２と対向するように設けられる。折り曲げ部１７３は、後述する一対のひさし状突出部１６４の側部を保持する機能を有する。
【００６３】
さらに、補強部１７３には、補強タブ１７０がハウジング１５０に圧挿された後の抜出を防止するための圧入部（図示せず）が形成されている。すなわち、この圧入部は、くさび形状からなるため、ハウジング１５０に圧挿された場合に、ハウジング１５０に喰い込み、補強タブ１７０をハウジング１５０に固定することができる。
【００６４】
なお、本実施の形態においては、補強部１７３に圧入部を設けることとしたが、これに限定されず、補強タブ１７０の他の任意の位置に複数箇所設けてもよい。
【００６５】
次に、図７は、ハウジング１５０の詳細形状を説明するための図である。（ａ）はハウジング１５０の正面図を示し、（ｂ）はハウジング１５０の側面図を示し、（ｃ）はハウジング１５０の上面図を示し、（ｄ）はハウジング１５０のＡ−Ａ断面を示す。
【００６６】
図７のハウジング１５０は、樹脂により一体成型されたものからなる。例えば、ＰＰＳ（ポリフェニレンサルファイド）等の樹脂により成型される。
【００６７】
図７（ａ）に示すように、ハウジング１５０は、略直方体形状からなる。また、ハウジング１５０上部には、開口部１５１が形成され、ハウジング１５０内部には、内部空間１５２が形成される。内部空間１５２は、開口部１５１と連通するように設けられる。また、内部空間１５２を形成する奥壁１６１には、複数のコンタクト１１０を支持するための複数の溝１６２が形成されている。
【００６８】
また、ハウジング１５０の下部には、複数のコンタクト１１０が組み付け可能なように複数の組み付け孔１５３が形成されている。この複数の組み付け孔１５３は、内部空間１５２に連通するとともに、ハウジング１５０の外方に連通する複数の孔１５４に連通している。この複数の組み付け孔１５３から複数のコンタクト１１０が圧挿された場合、複数のコンタクト１１０の圧接部１１１が内部空間１５２の複数の溝１６２に沿って組み付けられ、複数のコンタクト１１０のフック１１２が複数の孔１５４から突出して組み付けられる。
【００６９】
さらに、ハウジング１５０の左右の側壁１６３には、開口部１５１の内側に向かって突出している一対のひさし状突出部１６４が形成されている。ひさし状突出部１６４は、開口部１５１の上方から挿入されたＦＰＣ２００の左右の各端部を支持可能な位置まで突出している。また、側壁１６３には、補強タブ１７０の１７１ａと当接することにより開閉カバー１４０の開閉軸１４１を軸支する片面の軸支部１６３ｂが形成されている。
【００７０】
また、ハウジング１５０の一対のひさし状突出部１６４の内側には、開閉カバー１４０の開防止リブ１４４と嵌合可能なリブ１６５が形成されている。このリブ１６５により、開閉カバー１４０が容易に開状態にならないようにすることができる。
【００７１】
次に、ハウジング１５０の側壁１６３には、補強タブ１７０を組み付け可能な切り欠き部１５４、１５５および貫通孔１５６が形成される。
【００７２】
切り欠き部１５４は、一対のひさし状突出部１６４の角部を切り欠いて形成され、切り欠き部１５５は、奥壁１６１の左右の端部を切り欠いて形成され、貫通孔１５６は、側壁１６３の一部を垂直方向に貫通させるように形成される。
【００７３】
切り欠き部１５４により補強タブ１７０の折り曲げ部１７４の一部が固定され、切り欠き部１５５により補強タブ１７０の接続部１７２が保持され、貫通孔１５６により補強タブ１７０の固定タブ部１７１ｂの先端が保持される。
【００７４】
なお、切り欠き部１５５は、補強タブ１７０の接続部１７２の付勢が、一対のひさし状突出部１６４に対向して働くように設けられる。また、補強タブ１７０の固定タブ部１７１ｂの先端は、ハウジング１５０の下面よりも下方に突出する。その結果、コネクタ１００の下面にプリント配線基板３００が配設された場合、補強タブ１７０をプリント配線基板３００の固定ランド３０３に当接させることができる。
【００７５】
さらに、図７（ａ）に示すように、ハウジング１５０の奥壁１６１には、係止部逃げ部１６６が形成される。この係止部逃げ部１６６は、開閉カバー１４０の係止部１４５との干渉を防止するために凹形状で設けられる。この係止部逃げ部１６６の詳細については後述する。
【００７６】
以上の図４〜図７に示した各部材により、コネクタ１００が形成される。続いて、図３に示すコネクタ１００の組み立て手順について説明する。
【００７７】
まず、ハウジング１５０の下方から複数の組み付け孔１５３に同一形状を有する複数のコンタクト１１０が組み付けられる。次に、ハウジング１５０の開口部１５１に開閉カバー１４０が挿入される。この場合、開閉カバー１４０の開閉軸１４１が、ハウジング１５０の片面の軸支部１６３ｂに当接するように挿入される。同時に開閉カバー１４０のカム１４２に、複数のコンタクト１１０のフック１１２がカム係止される。
【００７８】
続いて、ハウジング１５０に補強タブ１７０が圧挿される。この場合、補強タブ１７０の固定部１７１に設けられた片面の軸支部１７１ａがハウジング１５０に設けられた片面の軸支部１６３ｂと当接することにより開閉カバー１４０の開閉軸１４１が回動可能に軸支される。
【００７９】
次に、コネクタ１００にＦＰＣ２００が挿入され、開閉カバー１４０を閉じる際の動作について説明する。
【００８０】
図８は、コネクタ１００にＦＰＣ２００が接続されるまでの工程を示す模式図である。（ａ）は、コネクタ１００にＦＰＣ２００が挿入された状態を示し、（ｂ）は、開閉カバー１４０が閉状態にある場合を示す。
【００８１】
図８（ａ）に示すように、開閉カバー１４０が開状態の場合、ＦＰＣ２００がハウジング１５０の開口部１５１から内部空間１５２に向けて挿入される。この場合、補強タブ１７０の接続部１７２がＦＰＣ２００のアース接続片２４０に付勢する。それにより、ＦＰＣ２００のアース接続片２４０が補強タブ１７０と電気的に接続される。
【００８２】
次に、図８（ｂ）に示すように、開閉カバー１４０が閉状態にされる。それにより、ＦＰＣ２００が係止部１４５により挿入方向に押下され、ＦＰＣ２００の複数の信号線がそれぞれコンタクト１１０の圧接部１１１と電気的に確実に接続される。この場合、開閉カバー１４０に設けられた係止部１４５がＦＰＣ２００に設けられた被係止部２６０に係止する。この際、係止部１４５は、被係止部２６０を挿入方向に押下する。また、開閉カバー１４０の係止部１４５は、係止部逃げ部１６６により開閉カバー１４０と干渉しない。
【００８３】
次に、図９は、開閉カバー１４０の係止部１４５、ハウジング１５０に設けられた係止部逃げ部１６６およびＦＰＣ２００の被係止部２６０の拡大断面図である。
【００８４】
図９に示すように、係止部１４５は、ＦＰＣ２００の被係止部２６０の一端をＦＰＣ２００の挿入方向に押下する。また、ＦＰＣ２００の被係止部２６０および係止部逃げ部１６６は、開閉カバー１４０の開閉動作時に係止部１４５の先端が接触しないように設けられる。例えば、図９の点線は、係止部１４５の先端の軌跡を示す。したがって、係止部１４５の大きさよりも、被係止部２６０および係止部逃げ部１６６の方が大きく設けられる。
【００８５】
さらに、係止部１４５は、ＦＰＣ２００に対する面１４５Ｚにテーパ形状を有してもよい。この場合、係止部１４５の面１４５Ｚのテーパ形状により、ＦＰＣ２００が抜出方向に移動しようとした場合でも、開閉カバー１４０および一対のひさし状突出部１６４によりＦＰＣ２００が開閉カバー１４０側に移動しないよう保持されるため、ＦＰＣ２００が抜出することを防止することができる。したがって、ＦＰＣ２００とコンタクト１１０の圧接部１１１との電気的接続を確実にすることができる。
【００８６】
次に、図１０は係止部１４５の他の例を示す模式図であり、図１１は被係止部２６０の他の例を示す模式図である。図１０（ａ）は係止部１４５が主に円柱から構成される場合を示し、図１０（ｂ）は係止部１４５が主に角柱から構成される場合を示し、図１０（ｃ）は係止部１４５が主に楕円柱から構成される場合を示し、図１１（ａ）は被係止部２６０が楕円形孔から構成される場合を示し、図１１（ｂ）は被係止部２６０が円形孔から構成される場合を示し、図１１（ｃ）は被係止部２６０が矩形孔から構成される場合を示す。
【００８７】
図１０（ａ）に示すように、係止部１４５ａは、円柱の先端に曲面形状および平面形状を有している。その結果、ＦＰＣ２００の被係止部２６０に入りやすくなる。また、図１０（ｂ）に示すように、係止部１４５ａの代わりに角柱の先端に平面形状を有する係止部１４５ｂを用いてもよく、図１０（ｃ）に示すように、係止部１４５ａの代わりに楕円柱の先端に平面形状および曲面形状を有する係止部１４５ｃを用いてもよい。
【００８８】
また、図１１（ａ）に示すように、被係止部２６０ａは、ＦＰＣ２００に楕円形孔２６０ａからなる。その結果、係止部１４５と係止しやすくなる。また、図１１（ｂ）に示すように、楕円形孔２６０ａの代わりに円形孔２６０ｂで構成されてもよく、図１１（ｃ）に示すように、楕円形孔２６０ａの代わりに矩形孔２６０ｃで構成されてもよい。
【００８９】
以上の構成により、本実施の形態に係るフレキシブル基板用コネクタ１００においては、フレキシブル基板２００の被係止部２６０に対して、フレキシブル基板２００の抜出方向と異なる方向から開閉カバー１４０の係止部１４５が挿入されるので、フレキシブル基板２００の抜出を確実に防止することができる。
【００９０】
また、ハウジング１７０に係止部１４５を設ける場合と比較して、フレキシブル基板２００の挿入が容易になるとともに、ハウジング１４５の省スペース化も実現することができる。その結果、プリント配線基板３００上の配線を容易にすることができる。さらに、新たな部材を用いる必要がないため、フレキシブル基板用コネクタ１００の低背化を実現することができる。
【００９１】
また、ハウジング１７０および補強タブ１７０の軸支部１７１ａにより開閉カバーの開閉軸１４１が軸支されるので、開閉式カバー１４０の軸支を補強することができる。
【００９２】
さらに、補強タブ１７０により開閉カバー１４０の左右端の開閉軸１４１が軸支されるとともに、補強タブ１７０の固定タブ部１７１ｂがプリント配線基板３００に固定されるので、開閉式カバー１４０の軸支をさらに補強することができる。その結果、開閉カバー１４０を安定して開閉させることができる。
【００９３】
また、開閉カバー１４０は、複数のコンタクト１１０のフック１１２によりカム係止されるので、開閉カバー１４０の開状態および閉状態において、開閉カバー１４０の抜出を防止することができる。
【００９４】
また、開防止リブ１４４がひさし状突出部１６４のリブ１６５に係止されるので、フレキシブル基板２００に抜出方向への力が加わった場合でも、開閉カバー１４０の状態は閉状態で維持される。また、補強タブ１７０がひさし状突出部１６４の一部に沿って設けられるので、ひさし状突出部１６４の強度を向上させることができる。さらに、開閉カバー１４０が閉状態であっても、折り曲げ部１７４がフレキシブル基板２００に当接しているため、フレキシブル基板２００に抜出する方向への力が加わった場合でも、折り曲げ部１７４によりフレキシブル基板２００が保持される。この場合、フレキシブル基板の抜け止め防止をさらに確実にすることができる。
【００９５】
上記一実施の形態においては、フレキシブル基板（ＦＰＣ）２００がフレキシブル基板に相当し、プリント配線基板３００がプリント配線基板に相当し、フレキシブル基板用コネクタ１００がフレキシブル基板用コネクタに相当し、複数のコンタクト１１０が複数のコンタクトに相当し、圧接部１１１が圧接部に相当し、開口部１５１が開口部に相当し、ハウジング１５０がハウジングに相当し、開閉カバー１４０が開閉カバーに相当し、被係止部２６０が被係止部に相当し、係止部１４５が係止部に相当し、補強タブ１７０が補強タブに相当し、固定タブ部１７１ｂがリード部に相当し、フック１１２がカム係止部に相当し、一対のひさし状突出部１６４がひさし状突出部に相当し、開防止リブ１４４がロック用の突起部に相当し、折り曲げ部１７４が延長片に相当する。
【００９６】
なお、本実施の形態においては、垂直型のフレキシブル基板用コネクタ１００について説明したが、これに限定されず、水平型のフレキシブル基板用コネクタに適用してもよい。また、本実施の形態においては、フレキシブル基板用コネクタ（ＦＰＣ）を用いることとしたが、これに限定されず、フレキシブルフラットケーブル（ＦＦＣ；Flexible Flat Cable）等、他の任意のケーブルに本構造を用いてもよい。さらに、本実施の形態のコンタクトおよび接続部１７２の形状について説明したが、これに限定されず、ベローズ型、片持ち梁型または音叉型等を用いてもよい。
【００９７】
本発明は、上記の好ましい一実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００９８】
【図１】本発明に係る一実施の形態に係るフレキシブル基板用コネクタ、フレキシブル基板およびプリント配線基板の組み立て状態の一例を示す模式的斜視図
【図２】本実施の形態において用いるＦＰＣの詳細形状を説明するための模式図
【図３】コネクタの構成の一例を示す説明図
【図４】コンタクトの詳細形状の一例を説明するための図
【図５】開閉カバーの詳細形状の一例を説明するための図
【図６】補強タブの詳細形状の一例を説明するための図
【図７】ハウジングの詳細形状を説明するための図
【図８】コネクタにＦＰＣが接続されるまでの工程を示す模式図
【図９】開閉カバーの係止部、ハウジングに設けられた係止部逃げ部およびＦＰＣの被係止部の拡大断面図
【図１０】係止部の他の例を示す模式図
【図１１】被係止部の他の例を示す模式図
【符号の説明】
【００９９】
１００  フレキシブル基板用コネクタ
１１０  複数のコンタクト
１１１  圧接部
１１２  フック
１４０  開閉カバー
１４５  係止部
１４４  開防止リブ
１５０  ハウジング
１５１  開口部
１６４  一対のひさし状突出部
１７０  補強タブ
１７１ａ  軸支部
１７１ｂ  固定タブ部
１７４  折り曲げ部
２００  フレキシブル基板（ＦＰＣ）
２６０  被係止部
３００  プリント配線基板
【図１】
2006134728.tif 000003
【図２】
2006134728.tif 000004
【図３】
2006134728.tif 000005
【図４】
2006134728.tif 000006
【図５】
2006134728.tif 000007
【図６】
2006134728.tif 000008
【図７】
2006134728.tif 000009
【図８】
2006134728.tif 000010
【図９】
2006134728.tif 000011
【図１０】
2006134728.tif 000012
【図１１】
2006134728.tif 000013